【事件の表示】
　特願２００２−１３４７５６「臨床検査システム」拒絶査定不服審判事件〔平成１５年１１月１９日出願公開、特開２００３−３２９６９０〕について、次のとおり審決する。
【結　論】
　本件審判の請求は、成り立たない。
【理　由】
第１　手続の経緯
　本願は、平成１４年５月９日の出願であって、平成１９年３月７日付けで拒絶査定がされ、これに対し、平成１９年４月２５日に拒絶査定不服審判の請求がされるとともに、同年５月２４日付けで手続補正（以下、「本件補正」という。）がなされたものである。
　
　
第２　本件補正の補正却下の決定
［補正却下の決定の結論］
　平成１９年５月２４日付けの手続補正を却下する。
［理由］
１　補正後の本願発明
　本件補正は、平成１８年２月１７日付け手続補正書の特許請求の範囲の請求項１
「【請求項１】　検査オーダーの受付から検査結果の報告に至る臨床検査業務を管理する臨床検査システムであって、管理対象とする検査に関する情報を入力するための検査情報入力手段と、検査情報入力手段により入力された検査情報を記憶するための検査情報記憶手段と、検査情報記憶手段が記憶している検査情報の中から、臨床検査業務の進捗に関する所定の抽出条件に該当する検査情報を抽出する抽出手段と、抽出手段により抽出された検査情報を表示するための進捗管理用画面を作成する画面作成手段と、画面作成手段が作成した進捗管理用画面を出力する出力手段と、を備えた臨床検査システム。」
を
「【請求項１】　検査オーダーの受付から検査結果の報告に至る臨床検査業務を管理する臨床検査システムであって、
所定の画面を表示するための表示手段と、
検査情報の範囲を操作者が選択するための範囲選択画面を表示手段に表示させる範囲選択手段と、範囲選択画面により選択された検査情報の範囲で
し表示手段に表示させる
と補正することを含むものである。（下線は補正箇所を示す。）
　上記補正には、「範囲選択手段」を付加し、画面作成手段の進捗管理用画面を作成する作用を範囲選択画面により選択された検査情報の範囲とする補正事項と、出力手段を表示手段に変更し、範囲選択手段の選択画面もこの表示手段に表示するようにする補正事項が含まれており、いずれの補正事項も、特許請求の範囲の減縮を目的とするものである。
　そこで、本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２　引用刊行物記載の発明
　原査定の拒絶の理由に引用され、本願出願前に頒布された特開平１１−５１９４２号公報（以下、「引用例」という。）には、以下の記載がある。
（ア）「【請求項１】コンピュータ及び周辺入出力装置で構成される臨床検査システムにおいて、
検査業務を分割した複数の業務プロセスの各プロセスの機能毎にその進捗度、各情報のチェック条件を管理する為の定義情報を設定する定義ファイルと、
各業務プロセスにおいて発生したイベント情報を保存しておくイベント管理ファイルと、
該イベント管理ファイルに対してイベント情報の保存・管理を行うイベント管理手段と、
前記定義ファイルを参照し、前記イベント管理ファイルから複数の業務プロセスの進捗状況を抽出し進捗状況の概況一覧表示画面として表示または帳票出力する手段と、
を備えたことを特徴とする臨床検査システム。
　　　　　　　　　　　　　　　　・・・　
【請求項４】前記定義ファイルをユーザの操作により登録・変更する手段を有する請求項１記載の臨床検査システム。」
（イ）「【０００１】
【発明の属する技術分野】本発明は、臨床検査システムに係り、特に病院や医療機関で稼動する臨床検査システムにおいて、臨床検査業務の作業工程の進捗状況を容易に把握できる工程管理機能および、工程の進捗管理情報を累積し検査業務の管理・統計データを出力する機能に関する。」
（ウ）「【０００８】
【課題を解決するための手段】本発明の解決手段としては、検査業務を幾つかの各業務プロセスに大別し、更にその各業務プロセスを運用形態による機能別に細分化する。本発明の臨床検査システムは、このように検査業務を分割した複数の業務プロセスの各プロセスの機能毎にその進捗度、各情報のチェック条件を管理する為の定義情報を設定する定義ファイルと、各業務プロセスにおいて発生したイベント情報を保存しておくイベント管理ファイルと、該イベント管理ファイルに対してイベント情報の保存・管理を行うイベント管理手段と、前記定義ファイルを参照し、前記イベント管理ファイルから複数の業務プロセスの進捗状況を抽出し進捗状況の概況一覧表示画面として表示または帳票出力する手段とを備える。
【０００９】ここで、「検査業務」とは、検査受付から始まり、前処理、検体の測定、測定結果の確認、依頼元への検査結果報告までの一連の業務である。
【００１０】このシステムにおいて、好ましくは、前記表示された進捗状況の概況一覧表示画面において、ユーザによる特定の業務プロセスの項目の指示に応じて、前記イベント管理ファイルから対応する詳細状況を読み出し、その詳細状況表示画面として表示または帳票出力する手段を有する。
【００１１】前記定義情報を参照して、前記イベント管理ファイル内の少なくとも特定のプロセスの機能の進捗状況をチェックし、前記定義情報に照らして警告が必要な場合にアラーム出力を行う手段を有してもよい。
【００１２】さらに、前記定義ファイルをユーザの操作により登録・変更する手段を設けることが好ましい。」
（エ）「【００３３】本システムは、検査業務を複数の業務プロセスに分割した各プロセス毎の対象となる処理（機能）を登録し、その状況を表現する為の定義等を設定する検査状況対象定義ファイル１３と、本ファイル１３に対し登録・変更を行う検査状況対象定義ファイルメンテナンス機能１２と、各業務プロセス機能で発生したイベント情報を保存しておくイベント管理ファイル１６と、イベント情報を保存・管理を行うイベント管理機能１５と、検査状況を検査状況対象定義ファイル１３およびイベント管理ファイル１６を参照し、クライアントの画面１９に表示および、プリンタ２０に印刷（帳票出力）する検査状況出力機能１７と、同様に検査状況の管理・統計データを出力する検査状況管理統計出力機能１８とにより構成している。」
（オ）「【００３９】なお、検査状況対象定義ファイル１３は処理対象の有無が設定出来る為、処理対象外のものは除外することができ、ユーザ毎にチェック範囲や、各プロセス名称や機能名称及び、状況の表現内容や表示色等の状況判定基準をユーザでカスタマイズすることが出来る。」
　以上の記載によれば、引用例には、
「コンピュータ及び周辺入出力装置で構成され、検査受付から始まり、前処理、検体の測定、測定結果の確認、依頼元への検査結果報告までの一連の業務の工程管理機能を有する臨床検査システムにおいて、処理対象の有無が設定でき、検査業務を分割した複数の業務プロセスの各プロセスの機能毎にその進捗度、各情報のチェック条件を管理する為の定義情報を設定する定義ファイルと、各業務プロセスにおいて発生したイベント情報を保存しておくイベント管理ファイルと、該イベント管理ファイルに対してイベント情報の保存・管理を行うイベント管理手段と、前記定義ファイルを参照し、前記イベント管理ファイルから複数の業務プロセスの進捗状況を抽出し進捗状況の概況一覧表示画面としてクライアントの画面に表示する手段とを備え、前記定義ファイルをユーザの操作により登録・変更する手段を有する臨床検査システム。」の発明（以下、「引用例発明」という。）が記載されていると認められる。
　
３　対比
　本願補正発明と引用例発明とを対比する。
　引用例発明の「検査受付から始まり、前処理、検体の測定、測定結果の確認、依頼元への検査結果報告までの一連の業務の工程管理機能を有する臨床検査システム」は、本願補正発明の「検査オーダーの受付から検査結果の報告に至る臨床検査業務を管理する臨床検査システム」に相当する。また、引用例発明の「クライアントの画面」は、本願補正発明の「所定の画面を表示するための表示手段」に相当する。さらに、引用例発明の「各業務プロセスにおいて発生したイベント情報を保存しておくイベント管理ファイル」は、本願補正発明の「管理対象とする検査に関する情報を入力するための検査情報入力手段」に相当する。また、引用例発明の「イベント管理ファイルに対してイベント情報の保存・管理を行うイベント管理手段」は、本願補正発明の「検査情報入力手段により入力された検査情報を記憶するための検査情報記憶手段」に相当する。さらに、引用例発明の「定義ファイル」は、「処理対象の有無が設定でき、検査業務を分割した複数の業務プロセスの各プロセスの機能毎にその進捗度、各情報のチェック条件を管理する為」のものであるから、検査情報の範囲を定義するものであるといえるため、引用例発明の「定義ファイルをユーザの操作により登録・変更する手段」と、本願補正発明の「検査情報の範囲を操作者が選択するための範囲選択画面を表示手段に表示させる範囲選択手段」とは、「検査情報の範囲を操作者が選択するための範囲選択手段」である点で共通する。そして、引用例発明の「前記定義ファイルを参照し、前記イベント管理ファイルから複数の業務プロセスの進捗状況を抽出し進捗状況の概況一覧表示画面としてクライアントの画面に表示する手段」は、その一部に抽出する機能を有するものであるから、本願補正発明の「検査情報記憶手段が記憶している検査情報の中から臨床検査業務の進捗に関する所定の抽出条件に該当する検査情報を抽出する抽出手段」に相当するものを含んでいる。また、引用例発明の「前記定義ファイルを参照し、前記イベント管理ファイルから複数の業務プロセスの進捗状況を抽出し進捗状況の概況一覧表示画面としてクライアントの画面に表示する手段」は、その一部に概況一覧表示画面を作成しクライアントの画面に表示する機能を有するものであるから、引用例発明の「前記定義ファイルを参照し、前記イベント管理ファイルから複数の業務プロセスの進捗状況を抽出し進捗状況の概況一覧表示画面としてクライアントの画面に表示する手段」と本願補正発明の「範囲選択画面により選択された検査情報の範囲で抽出手段により抽出された検査情報を表示するための進捗管理用画面を作成し表示手段に表示させる画面作成手段」とは、「選択された検査情報の範囲で抽出手段により抽出された検査情報を表示するための進捗管理用画面を作成し表示手段に表示させる画面作成手段」である点で共通する。
　したがって、両者は、
「検査オーダーの受付から検査結果の報告に至る臨床検査業務を管理する臨床検査システムであって、所定の画面を表示するための表示手段と、管理対象とする検査に関する情報を入力するための検査情報入力手段と、検査情報入力手段により入力された検査情報を記憶するための検査情報記憶手段と、検査情報記憶手段が記憶している検査情報の中から臨床検査業務の進捗に関する所定の抽出条件に該当する検査情報を抽出する抽出手段と、検査情報の範囲を操作者が選択するための範囲選択手段と、選択された検査情報の範囲で抽出手段により抽出された検査情報を表示するための進捗管理用画面を作成し表示手段に表示させる画面作成手段と、を備えた臨床検査システム。」である点で一致し、以下の点で相違している。
［相違点］範囲選択手段が、本願補正発明では範囲選択画面を表示手段に表示させるものであるのに対し、引用例発明ではクライアントの画面に表示させるものではない点。
　
４　判断
　上記相違点について検討すると、コンピュータ及び周辺入出力装置で構成されるシステムにおいて、選択手段を、画面に選択画面を表示させることにより構成することは、本願出願前に周知の事項である。したがって、引用例発明においても、定義ファイルをユーザの操作により登録・変更する手段を、クライアントの画面に選択画面を表示させる構成とすることは、当業者が容易になし得ることである。
　そして、本願補正発明の効果は、引用例に記載された発明から当業者が予測できる範囲のものであって、格別なものであるとはいえない。
　したがって、本願補正発明は、引用例に記載された発明及び周知技術に基づいて当業者が容易に発明をすることができたものであるから、特許法第２９条第２項の規定により、特許出願の際独立して特許を受けることができないものである。
　
　なお、請求人は、審尋に対する平成２０年１０月２９日付けの回答書において、請求項１の「検査情報の範囲を操作者が選択するための範囲選択画面を表示手段に表示させる範囲選択手段」を「
進捗管理用画面を作成する際に
自動的に
　カスタマイズとは、請求人が示すとおり、「ユーザーが自分にとって使いやすいように、アプリケーションの機能やキーアサインなどの設定を変更すること」（ASCII.JPデジタル用語辞典：マッキントッシュ用語辞典：http://yougo.ascii24.com/gh/59/005951.html参照）を意味するものの、設定した以降に設定画面の表示が行われなくなることを意味するものではない。そして、引用例発明の「定義ファイルをユーザの操作により登録・変更する手段」は、進捗状況を抽出するための設定を変更するものであるから、進行状況を抽出し進捗状況の概況一覧表示画面に表示する際に登録・変更できるように設計することは当業者が通常考慮することである。そして、設けることが好ましいとされる手段を、自動的に表示させるか、任意に表示させるかは適宜設定しうることであり、自動的に表示させたことにより格別の効果の差異が生じるともいえない。
　したがって、請求人が提示する補正された請求項１に係る発明も、引用例に記載された発明及び周知技術に基づいて当業者が容易に発明をすることができたものであるから、特許法第２９条第２項の規定により、特許出願の際独立して特許を受けることができないものである。
　
５　むすび
　以上のとおり、本願補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明
１　本願発明の認定
　本件補正は上記のとおり却下されることとなったので、本願の請求項１〜１２に係る発明は、平成１８年２月１７日付け手続補正書の特許請求の範囲の請求項１〜１２に記載された事項により特定されるとおりのものと認められ、その請求項１に係る発明は、次のとおりである。
「【請求項１】　検査オーダーの受付から検査結果の報告に至る臨床検査業務を管理する臨床検査システムであって、管理対象とする検査に関する情報を入力するための検査情報入力手段と、検査情報入力手段により入力された検査情報を記憶するための検査情報記憶手段と、検査情報記憶手段が記憶している検査情報の中から、臨床検査業務の進捗に関する所定の抽出条件に該当する検査情報を抽出する抽出手段と、抽出手段により抽出された検査情報を表示するための進捗管理用画面を作成する画面作成手段と、画面作成手段が作成した進捗管理用画面を出力する出力手段と、を備えた臨床検査システム。」（以下、「本願発明」という。）
　
２　引用刊行物記載の発明
　原査定の拒絶の理由に引用された刊行物およびその記載事項は、前記「第２　２　引用刊行物記載の発明」に記載したとおりである。
　
３　対比・判断
　本願発明は、本願補正発明における「範囲選択手段」を省き、範囲選択画面および進捗管理用画面が表示される「所定の画面を表示するための表示手段」を「画面作成手段が作成した進捗管理用画面を出力する出力手段」とすることにより、範囲選択画面が表示されるという限定を省いたものである。
　そうすると、本願発明の構成要件をすべて含み、さらに構成要件および限定を付加したものに相当する本願補正発明が、前記「第２　４　判断」に記載したとおり、引用例に記載された発明及び周知技術に基づいて当業者が容易に発明をすることができたものであるから、本願発明も同様の理由により、当業者が容易に発明をすることができたものである。
　
４　むすび
　以上のとおり、本願発明は、引用例に記載された発明及び周知技術に基づいて当業者が容易に発明をすることができたものであるから、特許法第２９条第２項の規定により特許を受けることができない。
　したがって、その他の請求項に係る発明について言及するまでもなく、本願は拒絶すべきものである。
　よって、結論のとおり審決する。